(57)【要約】      （修正有）【課題】各住戸における居住者相互の交流を助成するに便利な生活環境とすることで、居住者相互に仲間意識が醸成され、仲間同士の助け合いの気運をも起こりやすい、元気で暮らしやすい、殊に年配者、老人、病気療養者等にとって、より好適な集合住宅施設を提供する。【解決手段】円形状乃至多角形状のロータリー通路１の外周に複数の住戸２を放射状に戸別に各接続して居住サークルＡを形成する。該居住サークルＡのロータリー通路１に所定のサービスセンターＢへの接続通路３をも接続し、該サービスセンターＢには、受付４、事務室・管理室５、デイサービス室６、浴室７、脱衣室８、倉庫９、厨房１０、カフェ１１、風除室１２等の必要に応じた任意の共用設備を設けたことを特徴とする。【選択図】図１
0003185249.tif 000002
【実用新案登録請求の範囲】
【請求項１】
円形状乃至多角形状のロータリー通路１の外周に複数の住戸２を放射状に戸別に各接続して居住サークルAを形成すると共に該居住サークルAのロータリー通路１に所定のサービスセンターBへの接続通路３をも接続し、該サービスセンターBには、受付４、事務室・管理室５、デイサービス室６、浴室７、脱衣室８、倉庫９、厨房１０、、カフェ１１、風除室１２等の必要に応じた任意の共用設備を設けたことを特徴とする集合住宅施設。
【請求項２】
前記住戸２は、戸建平屋である請求項１に記載の集合住宅施設。
【請求項３】
前記ロータリー通路１及び接続通路３は、屋内の共用通路である請求項１または請求項２に記載の集合住宅施設。
【考案の詳細な説明】
【技術分野】
【０００１】
本考案は、複数の住戸を集めて構成する集合住宅施設に関するものである。
【背景技術】
【０００２】
近時における集合住宅施設は、都市化、地価上昇等の時代背景を反映し、２階以上の高層集合住宅化する傾向にあって、階段、エレベータ等の昇降用の設備を必然的に備えるものであり、住戸周りはコンクリートに覆われて自然に親しむことのできないような生活環境下であることが一般的になっている。
【０００３】
このような近時における集合住宅施設にあっては、各住戸における居住者相互の交流も控えめにならざるを得ず仲間意識が醸成されないことから、仲間同士の助け合いの気運も起こりにくく、元気で楽しい暮らしを指向するには適切な生活環境とは言い得ず、殊に年配者、老人、病気療養者等に対しては、暮らしやすい生活環境を提供し得るものではないという問題点があった。
【先行技術文献】
【特許文献】
【０００４】
【特許文献１】実開平０５−１０６５１号公報
【考案の概要】
【考案が解決しようとする課題】
【０００５】
本考案は、如上の問題点に鑑みてこれを解決すべく案出したものであって、各住戸における居住者相互の交流を助成するに便利な生活環境となすことで、居住者相互に仲間意識が醸成され、仲間同士の助け合いの気運をも起こりやすい、元気で暮らしやすい、殊に年配者、老人、病気療養者等にとって、より好適な集合住宅施設を提供することを目的とするものである。
【課題を解決するための手段】
【０００６】
本考案の集合住宅施設は、円形状乃至多角形状のロータリー通路の外周に複数の住戸を放射状に戸別に各接続して居住サークルを形成すると共に該居住サークルのロータリー通路に所定のサービスセンターへの接続通路をも接続し、該サービスセンターには、
は、事務室・管理室、受付、デイサービス室、浴室、脱衣室、倉庫、厨房、カフェ、風除室等の必要に応じた任意の共用設備を設けたことを最も主要な特徴とするものである。
【０００７】
また、本考案の集合住宅施設において、前記住戸は、戸建平屋であること、前記ロータリー通路、及び、前記接続通路は、屋内の共用通路であることをも特徴とするものである。
【考案の効果】
【０００８】
本考案の集合住宅施設における居住サークルは、ロータリー通路又は接続通路を通じて各住戸居住者相互の自然な交流を助成でき、これによって居住者相互の仲間意識が醸成され仲間同士の助け合いの気運が起こりやすいと共に共用設備の充実化によって居住者生活の質的向上を図りやすく、元気で暮らしやすい便利な生活環境を提供することができる利点がある。
【０００９】
また、本考案の集合住宅施設は、一般の集合住宅施設として使用できることは勿論であるが、居住サークルにおける各住戸は、それらが戸建平屋であることと相俟って、殊に年配者、老人、病気療養者等の老人ホーム用、病気療養者用等の集合住宅施設としてきわめて好適である。
【図面の簡単な説明】
【００１０】
【図１】図１は、本考案の集合住宅施設の一実施例を示す平面図である。
【考案を実施するための形態】
【００１１】
本考案の集合住宅施設は、円形状乃至多角形状のロータリー通路の外周に複数の各住戸を放射状に戸別に各接続して居住サークルを形成することで、居住サークル内の住戸居住者相互の交流を助成し、居住者相互の仲間意識の醸成による助け合いの気運を起こさせ、元気で暮らしやすい生活環境の実現化を図ったものである。
【実施例１】
【００１２】
本考案の集合住宅施設についての実施例を以下に図面に基づいて説明する。
【００１３】
図示する実施例は、３つの居住サークルAをサービスセンターBの周囲に配設した状態を例示したものである。
【００１４】
上記の各居住サークルAは、いずれもその基本の集合住宅形態を同じくするものであって、先ず、居住サークルAにおけるその中央部には、円形状乃至多角形状のロータリー通路１を設け、該ロータリー通路１の外周に複数の住戸２を放射状に戸別に各々接続してなるものである。
【００１５】
上記した居住サークルAの外周に放射状に戸別に接続する各住戸は、すべて戸建平屋であって、床面積の異なる数種類のユニット住宅でもって対応することが居住希望者の選択を可能としつつ建築コストの抑制上からも有利であるいえる。
【００１６】
図示する本実施例は、３つの各居住サークルAにおいて、各々２５平方ｍタイプのユニット住宅を各５戸、それに１８平方ｍタイプのユニット住宅を各５戸の全合計３０戸からなる住戸２を配設した場合を例示するものである。
【００１７】
上記した各居住サークルAにおける各ロータリー通路１には、居住サークルAとは個別に設けられてなるサービスセンターBに接続するための接続通路３を各々設けている。
【００１８】
サービスセンターBは、各居住サークルAからの距離を均等に短縮化する視点から各居住サークルAにおけるほぼ中央部に位置させるのが好ましく、該サービスセンターＡには、事務室・管理室４、受付５、デイサービス室６、浴室７、脱衣室８、倉庫９、厨房１０、カフェ１１、風除室１２等の必要に応じた任意の共用設備を設ける。
【００１９】
上記したロータリー通路１及び接続通路３は、いずれも屋内の共用通路であって、これにより、各居住サークルAの居住者は、いずれの居住サークルAにおける住戸２に対しても快適に相互に往来することができる。
【００２０】
各居住サークルAの内外周囲は、樹木、草花、芝生等を植え、豊かな自然環境を形成することが望ましい。
【００２１】
上記の如き構成になる本考案の集合住宅施設は、ロータリー通路１の外周に放射線状に接続した複数の住戸２で形成される居住サークルＡと該居住サークルＡを接続通路３で接続されるサービスセンターＢとによって各住戸２の居住者は、居住サービスを受けつつ相互に自然な交流を持ち得るという生活環境下に置かれることで居住者相互の仲間意識が醸成され、仲間同士の助け合いの気運が起こりやすくなる。住戸２は戸建平屋であることと相俟って、元気で暮らしやすい便利な生活環境を提供し得る優れた実用的効果を奏する。
【符号の説明】
【００２２】
A    居住サークル
B    サービスセンター
１    ロータリー通路
２    住戸
３    接続通路
４    受付
５    事務室・管理室
６    デイサービス室
７    浴室
８    脱衣室
９    倉庫
１０    厨房
１１    カフェ
１２    風除室
【図１】
0003185249.tif 000003
【手続補正書】
【提出日】平成25年5月29日(2013.5.29)
【手続補正１】
【補正対象書類名】図面
【補正対象項目名】図１
【補正方法】変更
【補正の内容】
【図１】
0003185249.tif 000004